(57)【要約】      （修正有）【課題】  プログラムを呼び出す前に内容を確認し、誤った内容を呼び出すことをなくすこと。【解決手段】  複数の宛先及び設定動作を１つの登録キーに登録するプログラム機能を備えた画像形成装置において、プログラム機能の登録キーに登録された内容を確認する。登録キーに登録された内容を確認し、その場で内容を変更できる。登録キーに登録された内容と現在設定されている宛先、設定動作を同時に確認する。複数の登録キーに登録された内容を同時に確認し、変更できる。【選択図】  図１
2007068009.tif 000002
【特許請求の範囲】
【請求項１】
複数の宛先及び設定動作を１つの登録キーに登録するプログラム機能を備えた画像形成装置において、前記プログラム機能の登録キーに登録された内容の確認ができることを特徴とする画像形成装置。
【請求項２】
請求項１記載の画像形成装置において、前記登録キーに登録された内容を確認し、その場で内容を変更できることを特徴とする画像形成装置。
【請求項３】
請求項１記載の画像形成装置において、前記登録キーに登録された内容と現在設定されている宛先、設定動作を同時に確認することを特徴とする画像形成装置。
【請求項４】
請求項１記載の画像形成装置において、複数の前記登録キーに登録された内容を同時に確認し、変更できることを特徴とする画像形成装置。
【請求項５】
請求項４記載の画像形成装置において、変更した内容は一時的に変更することもそれを改めて登録することも可能であることを特徴とする画像形成装置。
【請求項６】
モードクリアがかかり、デフォルトの状態に戻すときに、複数の登録された内容を確認し、必要ならばその内容を変更してデフォルトの状態とし、モードクリアすることができることを特徴とする画像形成装置。
【請求項７】
モードクリアがかかり、デフォルトの状態に戻すときに、デフォルトとして決められた内容を呼び出すか、複数の登録された内容から選択するかを事前に設定できることを特徴とする画像形成装置。
【請求項８】
利用者のプログラム登録作業が無くても、一定時間毎に設定された宛先や設定動作、または、ある設定を完了した時の状態を登録キーに自動で記憶することができることを特徴とする画像形成装置。
【請求項９】
請求項８記載の画像形成装置において、登録を行う時間間隔や設定完了のタイミングを利用者が自由に設定できることを特徴とする画像形成装置。
【請求項１０】
複数の宛先及び設定動作を１つの登録キーに登録するプログラム機能を備えた画像形成装置において、前記プログラム機能の登録キーに登録された内容の確認ができることを特徴とする画像形成装置の制御方法。
【請求項１１】
請求項１０記載の制御方法において、前記登録キーに登録された内容を確認し、その場で内容を変更できることを特徴とする画像形成装置の制御方法。
【請求項１２】
請求項１０記載の制御方法において、前記登録キーに登録された内容と現在設定されている宛先、設定動作を同時に確認することを特徴とする画像形成装置の制御方法。
【請求項１３】
請求項１０記載の制御方法において、複数の前記登録キーに登録された内容を同時に確認し、変更できることを特徴とする画像形成装置の制御方法。
【請求項１４】
請求項１０記載の制御方法において、変更した内容は一時的に変更することもそれを改めて登録することも可能である画像形成装置の制御方法。
【請求項１５】
モードクリアがかかり、デフォルトの状態に戻すときに、複数の登録された内容を確認し、必要ならばその内容を変更してデフォルトの状態とし、モードクリアすることができる画像形成装置の制御方法。
【請求項１６】
モードクリアがかかり、デフォルトの状態に戻すときに、デフォルトとして決められた内容を呼び出すか、複数の登録された内容から選択するかを事前に設定できる画像形成装置の制御方法。
【請求項１７】
利用者のプログラム登録作業が無くても、一定時間毎に設定された宛先や設定動作、または、ある設定を完了した時の状態を登録キーに自動で記憶することができる画像形成装置の制御方法。
【請求項１８】
請求項１７記載の制御方法において、登録を行う時間間隔や設定完了のタイミングを利用者が自由に設定できることを特徴とする画像形成装置の制御方法。
【発明の詳細な説明】
【技術分野】
【０００１】
本発明は、複数の宛先及び設定動作を１つの登録キーに登録するプログラム機能を備えた画像形成装置において、上記のプログラム機能の登録キーに登録された内容の確認ができることを特徴とする画像形成装置に関する。
【背景技術】
【０００２】
従来より、利用者が設定した宛先や動作設定を確認する機能を搭載した画像形成装置は実現されている。
【０００３】
ここで、例えば、特許文献１には、ファクシミリ装置について、プログラム登録した宛先番号とワンタッチで登録された宛先番号を比較し、等しければ、ワンタッチ宛先番号を利用し、等しくなければ、プログラム登録した宛先番号を使用して送信することができる技術が開示されている。
【特許文献１】特開２００３−２９８８２３号公報
【発明の開示】
【発明が解決しようとする課題】
【０００４】
従来の技術では、プログラムに登録された内容を確認することができずに、そのプログラムを呼び出し、現在の設定と置き換えた結果でしか設定された内容が分からない。
【０００５】
プログラムを呼び出す前に内容を確認できれば、誤った内容を呼び出すことが無くなり、便利である。
【０００６】
本発明は、以上説明した事情に鑑みてなされたものであり、その目的は、プログラムを呼び出す前に内容を確認し、誤った内容を呼び出すことをなくすことである。
【課題を解決するための手段】
【０００７】
請求項１記載の発明は、複数の宛先及び設定動作を１つの登録キーに登録するプログラム機能を備えた画像形成装置において、プログラム機能の登録キーに登録された内容の確認ができることを特徴とする画像形成装置である。
【０００８】
請求項２記載の発明は、請求項１記載の画像形成装置において、登録キーに登録された内容を確認し、その場で内容を変更できることを特徴とする。
【０００９】
請求項３記載の発明は、請求項１記載の画像形成装置において、登録キーに登録された内容と現在設定されている宛先、設定動作を同時に確認することを特徴とする。
【００１０】
請求項４記載の発明は、請求項１記載の画像形成装置において、複数の登録キーに登録された内容を同時に確認し、変更できることを特徴とする。
【００１１】
請求項５記載の発明は、請求項４記載の画像形成装置において、変更した内容は一時的に変更することもそれを改めて登録することも可能であることを特徴とする。
【００１２】
請求項６記載の発明は、モードクリアがかかり、デフォルトの状態に戻すときに、複数の登録された内容を確認し、必要ならばその内容を変更してデフォルトの状態とし、モードクリアすることができることを特徴とする画像形成装置である。
【００１３】
請求項７記載の発明は、モードクリアがかかり、デフォルトの状態に戻すときに、デフォルトとして決められた内容を呼び出すか、複数の登録された内容から選択するかを事前に設定できることを特徴とする画像形成装置である。
【００１４】
請求項８記載の発明は、利用者のプログラム登録作業が無くても、一定時間毎に設定された宛先や設定動作、または、ある設定を完了した時の状態を登録キーに自動で記憶することができることを特徴とする画像形成装置である。
【００１５】
請求項９記載の発明は、請求項８記載の画像形成装置において、登録を行う時間間隔や設定完了のタイミングを利用者が自由に設定できることを特徴とする。
【００１６】
請求項１０記載の発明は、複数の宛先及び設定動作を１つの登録キーに登録するプログラム機能を備えた画像形成装置において、プログラム機能の登録キーに登録された内容の確認ができることを特徴とする画像形成装置の制御方法である。
【００１７】
請求項１１記載の発明は、請求項１０記載の制御方法において、登録キーに登録された内容を確認し、その場で内容を変更できることを特徴とする。
【００１８】
請求項１２記載の発明は、請求項１０記載の制御方法において、登録キーに登録された内容と現在設定されている宛先、設定動作を同時に確認することを特徴とする。
【００１９】
請求項１３記載の発明は、請求項１０記載の制御方法において、複数の登録キーに登録された内容を同時に確認し、変更できることを特徴とする。
【００２０】
請求項１４記載の発明は、請求項１０記載の制御方法において、変更した内容は一時的に変更することもそれを改めて登録することも可能である。
【００２１】
請求項１５記載の発明は、モードクリアがかかり、デフォルトの状態に戻すときに、複数の登録された内容を確認し、必要ならばその内容を変更してデフォルトの状態とし、モードクリアすることができる画像形成装置の制御方法である。
【００２２】
請求項１６記載の発明は、モードクリアがかかり、デフォルトの状態に戻すときに、デフォルトとして決められた内容を呼び出すか、複数の登録された内容から選択するかを事前に設定できる画像形成装置の制御方法である。
【００２３】
請求項１７記載の発明は、利用者のプログラム登録作業が無くても、一定時間毎に設定された宛先や設定動作、または、ある設定を完了した時の状態を登録キーに自動で記憶することができる画像形成装置の制御方法である。
【００２４】
請求項１８記載の発明は、請求項１７記載の制御方法において、登録を行う時間間隔や設定完了のタイミングを利用者が自由に設定できることを特徴とする。
【発明の効果】
【００２５】
本発明によれば、プログラムを呼び出す前に内容を確認し、誤った内容を呼び出すことをなくすことができる。
【発明を実施するための最良の形態】
【００２６】
本発明の実施の形態を図に基づいて説明する。図１は本実施の形態における画像形成装置のハードウェア構成例である。
【００２７】
ＣＰＵ１は、装置全体の制御を司るものであり、その制御下にＲＡＭ２、ＲＯＭ３、ＮＶＲＡＭ４、パネル制御部５と、操作パネル６、エンジン制御部７とスキャン／プリントエンジン８、ディスクドライバ９と、記憶媒体１０、外部Ｉ／Ｆ１１、モデム１２、通信制御部１３があり、それらがデータバス１４を介して接続されている。
【００２８】
ＲＡＭ２は、一時的な記憶場所として利用される。
【００２９】
ＲＯＭ３は、プログラム、フォント、及びその他の静的なデータが格納されている。
【００３０】
ＮＶＲＡＭ４は、不揮発性のデータを格納しておく。
【００３１】
パネル制御部５と、操作パネル６は、ユーザーとのインターフェースを行う。
【００３２】
エンジン制御部７とスキャン／プリントエンジン８は、イメージデータの入出力ユニットとして、紙原稿の読み取りと転写紙への印刷を行う。
【００３３】
ディスクドライバ９と、記憶媒体１０は、大量のイメージデータを蓄積したり、データベースの記憶場所として利用される。
【００３４】
外部Ｉ／Ｆ１１は、セントロニクス等のインターフェースを用いて本体機器外部との通信を可能にする。
【００３５】
モデム１２は、公衆電話回線と接続され、外部機器との通信を可能にする。
【００３６】
通信制御部１３は、イーサネット（登録商標）や無線LAN等のネットワークに接続され、外部の機器との通信を可能とする。
【００３７】
データバス１４は、ＣＰＵ１とデバイス間及び各種デバイス間の通信を行う。
【００３８】
図２は、画像形成装置の操作パネル６を示した図である。これは図１、６の操作パネル６にあたる。
【００３９】
０１には画像形成装置で設定した宛先や動作設定が表示される。
【００４０】
また、０２のプログラムキーを押下すると、設定した内容の登録やプログラムに登録された設定内容の呼び出しが行える。
【００４１】
０３のリセットキーを押下することで、現状の設定をクリアし、デフォルトとして登録されたプログラムまたは、利用者が選択した設定内容が呼び出される。
【００４２】
図３は、図２中の０１の操作パネルの液晶タッチパネルの表示一例を示した図である。
【００４３】
利用者が液晶タッチパネルに表示されたキーにタッチする事で、選択された機能を示すキーが黒く反転する。また、機能の詳細を指定しなければならない場合は、キーにタッチする事で、詳細機能の設定画面が表示される。このように、液晶タッチパネルは、ドット表示器を使用している為、その時の最適な表示をグラフィカルに行う事が可能である。
【００４４】
図３において真中上は、「ファクスできます」、「お待ちください」等のメッセージを表示するメッセージエリアであり、その下は宛先情報を編集するボタンが並んでいる。
【００４５】
また、その右は、現状の設定を全て表示して確認するための設定確認ボタンと送信モードを決定する送信モードボタンである。
【００４６】
また、右下は送信動作に付随した情報を設定する拡張送信ボタンと送信者を指定する送信者ボタンである。
【００４７】
また、画面の左側は文字サイズや原稿サイズを設定する読み取り条件ボタン、濃度を設定する自動濃度ボタンと手動濃度バー、片面原稿/両面原稿の設定等を行う原稿送りボタン、蓄積した文書を指定する蓄積文書指定ボタンである。
【００４８】
また、真中はワンタッチで登録した宛先を呼び出せる宛先ボタンである。
【００４９】
図４はプログラムを登録する画面である。図２中の０２のプログラムキーを押下することで図２中の０１の液晶タッチパネル上に表示される。
【００５０】
Ｐ１のプログラムリストボタンにはそれぞれに対応するプログラムが登録されている。ここでＰ２呼び出しボタンを押下し、Ｐ１のプログラムリストボタンを押下すると、Ｐ１に登録されたプログラムが呼び出される。
【００５１】
同様にＰ３の登録ボタンを押下し、Ｐ１のプログラムリストボタンを押下することで、現状の設定をＰ１のプログラムリストボタンに登録する。
【００５２】
また、Ｐ４の消去ボタンを押下し、Ｐ１のプログラムリストボタンを押下すると、Ｐ１のプログラムリストボタンに登録された内容を消去する。
【００５３】
また、Ｐ５の名称変更ボタンを押下し、Ｐ１のプログラムリストボタンを押下するとＰ１のプログラムリストボタンに表示された名称を変更することができる。
【００５４】
また、Ｐ６の設定確認ボタンを押下すると現状の設定とプログラムの内容が表示される。
【００５５】
また、Ｐ７のデフォルト登録ボタンを押下すると、現状の設定をデフォルトの設定として登録できる。
【００５６】
また、Ｐ８の登録タイミングボタンを押下すると、登録する時間間隔やタイミング、登録先を設定できる。
【００５７】
また、Ｐ９のデフォルト設定内容ボタンを押下すると、モードクリア時にデフォルトの設定内容を呼び出すか、複数のプログラムから選択するかを設定することができる。
【００５８】
図５はプログラムの内容を確認する画面である。図４のＰ６の設定確認ボタンの押下で表示される。ここでは、現状の設定と、複数のプログラムに登録された内容を同時に確認することができる。
【００５９】
また、Ｃ１のデフォルト登録ボタンを押下することでその設定をデフォルトとして登録することができる。
【００６０】
また、Ｃ２の保存ボタンを押下すると、現状の設定をデフォルトとして、またはプログラムキーに割り当てて保存することができる。
【００６１】
また、Ｃ３の編集ボタンを押下することで現状の設定内容を変更することができる。
【００６２】
また、Ｃ４の閉じるボタン押下で他のプログラムに登録された設定内容の画面は残したままで、その画面を閉じることができる。
【００６３】
また、Ｃ５のデフォルト登録ボタンを押下することで、プログラムに登録された設定内容をデフォルトにすることができる。
【００６４】
また、Ｃ６の保存ボタンを押下することで、変更したプログラムの内容を保存することができる。
【００６５】
また、Ｃ７の呼び出しボタンを押下することで、登録されたプログラム内容を現状の設定に反映することができる。
【００６６】
また、Ｃ８の編集ボタンを押下することで、プログラムに登録された内容をその場で編集することができる。この内容はＣ６の保存ボタンを押下するまではプログラムには反映されない。
【００６７】
図６は、モードクリア時にデフォルトの設定を呼び出すか、プログラムに登録されたものから選択するかを設定する画面である。
【００６８】
Ｄ１のデフォルトボタンを選択するとデフォルトに登録された内容を呼び出す。
【００６９】
また、Ｄ２のプログラムからその都度選択する、を選択すると、モードクリアがかかるたびに複数のプログラムから呼び出すプログラムを選択できる。そして、その時も複数のプログラムの内容を確認できる。
【００７０】
図７はプログラムを登録するタイミングを設定する画面である。
【００７１】
Ｔ１は設定内容を登録する時間を設定する。０分ならば時間単位では登録しない。
【００７２】
また、Ｔ２は設定内容を登録する動作をプログラムに登録する。ここでも設定しないを選べば、登録しない。
【００７３】
また、Ｔ３では設定内容を登録する先を設定できる。ここでデフォルトプログラムに登録したり、プログラムの番号を指定することで任意のプログラムに登録することができる。
【００７４】
上記の実施の形態によれば、プログラムに登録された内容を確認しながら変更できれば、変更作業が的確かつスムーズに行える。
【００７５】
また、現在の設定と登録された内容を比較することができれば、現在の設定で残したい部分や置き換えたい部分を考慮してプログラムに登録された内容を変更することができ、利用者の使い勝手が向上する。
【００７６】
また、現在の設定内容と登録された内容を複数確認することで自分が呼び出したい設定内容が一目瞭然になり、便利である。
【００７７】
また、以前登録した内容を変更した場合に、それを保存するかどうか利用者が選択できるのは便利である。
【００７８】
また、利用者が意図しない内容が設定されてしまう。モードクリア時に複数の登録された内容から比較し、呼び出せるのは便利である。
【００７９】
また、モードクリアがかかったときに呼び出す設定を複数の設定から選択するのか、デフォルトに登録したものを呼び出すのかを事前に選択できるのは便利である。
【００８０】
また、一定時間毎の設定を自動的にプログラム登録することで利用者の設定を漏らさず設定することができる。
【００８１】
また、利用者が設定している内容を登録する時間やタイミングを設定できれば、利用者が登録したいタイミングを決めることができ、便利である。
【００８２】
なお、上述する各実施の形態は、本発明の好適な実施の形態であり、本発明の要旨を逸脱しない範囲内において種々変更実施が可能である。
【図面の簡単な説明】
【００８３】
【図１】本発明の実施の形態におけるハードウェア構成図である。
【図２】本発明の実施の形態における操作パネルの一例を示す図である。
【図３】本発明の実施の形態における液晶タッチパネルの一例を示す図である。
【図４】本発明の実施の形態におけるプログラム登録画面の一例を示す図である。
【図５】本発明の実施の形態におけるプログラム内容確認画面の一例を示す図である。
【図６】本発明の実施の形態におけるデフォルト設定内容画面の一例を示す図である。
【図７】本発明の実施の形態におけるプログラム登録タイミング画面の一例を示す図である。
【符号の説明】
【００８４】
１    ＣＰＵ
２    ＲＡＭ
３    ＲＯＭ
４    ＮＶＲＡＭ
５    パネル制御部
６    操作パネル
７    エンジン制御部
８    スキャン／プリントエンジン
９    ディスクドライバ
１０    記憶媒体
１１    外部Ｉ／Ｆ
１２    モデム
１３    通信制御部
１４    データバス
【図１】
2007068009.tif 000003
【図２】
2007068009.tif 000004
【図３】
2007068009.tif 000005
【図４】
2007068009.tif 000006
【図５】
2007068009.tif 000007
【図６】
2007068009.tif 000008
【図７】
2007068009.tif 000009